(57)【要約】【課題】複数の管理対象の位置及び関連性をユーザに把握させることができる管理システム、管理装置、プログラム及び管理方法を提供する。【解決手段】複数の物体それぞれに付与された端末装置から、当該端末装置が付与された物体を識別する物体識別情報と当該物体の位置を示す位置情報とを含む物体情報を取得する取得部１５１と、複数の物体のうち２以上の物体を関連付ける関連付け部１５３と、複数の物体情報及び２以上の物体の関連付け結果に基づいて、複数の物体それぞれの位置及び２以上の物体の関連性を識別可能な表示情報を生成する生成部１５５と、表示情報を出力する出力部１５７と、を備える。【選択図】図４
2014178901.tif 000002
【特許請求の範囲】
【請求項１】
複数の物体それぞれに付与された端末装置から、当該端末装置が付与された物体を識別する物体識別情報と当該物体の位置を示す位置情報とを含む物体情報を取得する取得部と、
前記複数の物体のうち２以上の物体を関連付ける関連付け部と、
前記複数の物体情報及び前記２以上の物体の関連付け結果に基づいて、前記複数の物体それぞれの位置及び前記２以上の物体の関連性を識別可能な表示情報を生成する生成部と、
前記表示情報を出力する出力部と、
を備える管理システム。
【請求項２】
前記取得部は、前記複数の物体情報を物体情報記憶部に記憶し、
前記関連付け部は、前記物体情報記憶部に記憶されている前記２以上の物体それぞれの物体情報に、関連付けられた物体の物体識別情報を関連物体識別情報として含め、
前記生成部は、前記物体情報記憶部に記憶されている前記複数の物体情報に基づいて、前記表示情報を生成する請求項１に記載の管理システム。
【請求項３】
前記関連付け部は、関連付け操作の入力に基づいて、前記物体情報記憶部に記憶されている前記２以上の物体それぞれの物体情報に、関連付けられた物体の物体識別情報を前記関連物体識別情報として含める請求項２に記載の管理システム。
【請求項４】
前記関連付け部は、関連付け解除操作の入力に基づいて、前記物体情報記憶部に記憶されている前記２以上の物体それぞれの物体情報から、前記関連物体識別情報を削除する請求項２又は３に記載の管理システム。
【請求項５】
前記取得部は、取得タイミング毎に、前記複数の物体それぞれに付与された端末装置から前記物体情報を取得し、取得した前記複数の物体情報それぞれについて、前記物体情報記憶部に記憶されている前記複数の物体情報のうち、取得した前記物体情報の物体識別情報と一致する物体識別情報を含む物体情報の位置情報を、取得した前記物体情報の位置情報で更新し、
前記生成部は、前記物体情報記憶部に記憶されている前記物体情報が更新される毎に、前記物体情報記憶部に記憶されている前記複数の物体情報に基づいて、前記表示情報を生成する請求項２〜４のいずれか１つに記載の管理システム。
【請求項６】
取得された前記複数の物体情報それぞれについて、前記物体情報記憶部に記憶されている前記複数の物体情報のうち、取得された前記物体情報の物体識別情報と一致する物体識別情報を含む物体情報の位置情報と、取得された前記物体情報の位置情報とを比較する比較部と、
比較結果が一致しない場合、該当する物体が移動したことを通知する通知部と、
を更に備える請求項５に記載の管理システム。
【請求項７】
前記物体情報記憶部に記憶されている前記物体情報は、移動通知の有無を示す通知情報を更に含み、
前記通知部は、比較結果が一致せず、かつ前記物体情報記憶部に記憶されている前記複数の物体情報のうち、取得された前記物体情報の物体識別情報と一致する物体識別情報を含む物体情報の通知情報が移動通知有を示す場合、該当する物体が移動したことを通知する請求項６に記載の管理システム。
【請求項８】
前記通知部は、移動通知設定操作の入力に基づいて、前記物体情報記憶部に記憶されている前記物体情報の前記通知情報が示す移動通知の有無を更新する請求項７に記載の管理システム。
【請求項９】
前記生成部は、前記複数の物体が配置されている領域を表す領域情報上に、前記複数の物体それぞれの位置及び前記２以上の物体の関連性を識別可能に重畳して、前記表示情報を生成する請求項１〜８のいずれか１つに記載の管理システム。
【請求項１０】
複数の端末装置それぞれから、当該端末装置を識別する端末識別情報と当該端末装置の位置を示す位置情報とを含む端末情報を取得する取得部と、
前記複数の端末装置のうち２以上の端末装置を関連付ける関連付け部と、
前記複数の端末情報及び前記２以上の端末装置の関連付け結果に基づいて、前記複数の端末装置それぞれの位置及び前記２以上の端末装置の関連性を識別可能な表示情報を生成する生成部と、
前記表示情報を出力する出力部と、
を備える管理システム。
【請求項１１】
複数の物体それぞれに付与された端末装置から、当該端末装置が付与された物体を識別する物体識別情報と当該物体の位置を示す位置情報とを含む物体情報を取得する取得部と、
前記複数の物体のうち２以上の物体を関連付ける関連付け部と、
前記複数の物体情報及び前記２以上の物体の関連付け結果に基づいて、前記複数の物体それぞれの位置及び前記２以上の物体の関連性を識別可能な表示情報を生成する生成部と、
前記表示情報を出力する出力部と、
を備える管理装置。
【請求項１２】
複数の端末装置それぞれから、当該端末装置を識別する端末識別情報と当該端末装置の位置を示す位置情報とを含む端末情報を取得する取得部と、
前記複数の端末装置のうち２以上の端末装置を関連付ける関連付け部と、
前記複数の端末情報及び前記２以上の端末装置の関連付け結果に基づいて、前記複数の端末装置それぞれの位置及び前記２以上の端末装置の関連性を識別可能な表示情報を生成する生成部と、
前記表示情報を出力する出力部と、
を備える管理装置。
【請求項１３】
複数の物体それぞれに付与された端末装置から、当該端末装置が付与された物体を識別する物体識別情報と当該物体の位置を示す位置情報とを含む物体情報を取得する取得部と、
前記複数の物体のうち２以上の物体を関連付ける関連付け部と、
前記複数の物体情報及び前記２以上の物体の関連付け結果に基づいて、前記複数の物体それぞれの位置及び前記２以上の物体の関連性を識別可能な表示情報を生成する生成部と、
前記表示情報を出力する出力部と、
してコンピュータを機能させるためのプログラム。
【請求項１４】
複数の端末装置それぞれから、当該端末装置を識別する端末識別情報と当該端末装置の位置を示す位置情報とを含む端末情報を取得する取得部と、
前記複数の端末装置のうち２以上の端末装置を関連付ける関連付け部と、
前記複数の端末情報及び前記２以上の端末装置の関連付け結果に基づいて、前記複数の端末装置それぞれの位置及び前記２以上の端末装置の関連性を識別可能な表示情報を生成する生成部と、
前記表示情報を出力する出力部と、
してコンピュータを機能させるためのプログラム。
【請求項１５】
複数の物体それぞれに付与された端末装置から、当該端末装置が付与された物体を識別する物体識別情報と当該物体の位置を示す位置情報とを含む物体情報を取得する取得ステップと、
前記複数の物体のうち２以上の物体を関連付ける関連付けステップと、
前記複数の物体情報及び前記２以上の物体の関連付け結果に基づいて、前記複数の物体それぞれの位置及び前記２以上の物体の関連性を識別可能な表示情報を生成する生成ステップと、
前記表示情報を出力する出力ステップと、
を含む管理方法。
【請求項１６】
複数の端末装置それぞれから、当該端末装置を識別する端末識別情報と当該端末装置の位置を示す位置情報とを含む端末情報を取得する取得ステップと、
前記複数の端末装置のうち２以上の端末装置を関連付ける関連付けステップと、
前記複数の端末情報及び前記２以上の端末装置の関連付け結果に基づいて、前記複数の端末装置それぞれの位置及び前記２以上の端末装置の関連性を識別可能な表示情報を生成する生成ステップと、
前記表示情報を出力する出力ステップと、
を含む管理方法。
【発明の詳細な説明】
【技術分野】
【０００１】
本発明は、管理システム、管理装置、プログラム及び管理方法に関する。
【背景技術】
【０００２】
従来から、サーバ装置が複数の機器の位置を管理し、機器それぞれの位置を識別可能に表示する技術が知られている。例えば特許文献１には、機器の位置をサーバ装置との相対位置としてユーザに表示する技術が開示されている。
【発明の概要】
【発明が解決しようとする課題】
【０００３】
上述したような従来技術では、複数の機器の個々の位置をユーザに把握させることはできるが、機器間の関連性をユーザに把握させることはできない。
【０００４】
本発明は、上記事情に鑑みてなされたものであり、複数の管理対象の位置及び関連性をユーザに把握させることができる管理システム、管理装置、プログラム及び管理方法を提供することを目的とする。
【課題を解決するための手段】
【０００５】
上述した課題を解決し、目的を達成するために、本発明の一態様にかかる管理システムは、複数の物体それぞれに付与された端末装置から、当該端末装置が付与された物体を識別する物体識別情報と当該物体の位置を示す位置情報とを含む物体情報を取得する取得部と、前記複数の物体のうち２以上の物体を関連付ける関連付け部と、前記複数の物体情報及び前記２以上の物体の関連付け結果に基づいて、前記複数の物体それぞれの位置及び前記２以上の物体の関連性を識別可能な表示情報を生成する生成部と、前記表示情報を出力する出力部と、を備える。
【発明の効果】
【０００６】
本発明によれば、複数の管理対象の位置及び関連性をユーザに把握させることができるという効果を奏する。
【図面の簡単な説明】
【０００７】
【図１】図１は、本実施形態の管理システムの構成の一例を示すブロック図である。
【図２】図２は、本実施形態のターミナルの構成の一例を示すブロック図である。
【図３】図３は、本実施形態のルータの構成の一例を示すブロック図である。
【図４】図４は、本実施形態の管理装置の構成の一例を示すブロック図である。
【図５】図５は、本実施形態の関連付け操作の一例の説明図である。
【図６】図６は、本実施形態の関連付け操作の一例の説明図である。
【図７】図７は、本実施形態の表示情報の一例の説明図である。
【図８】図８は、本実施形態の表示情報の一例の説明図である。
【図９】図９は、本実施形態の移動通知設定操作の一例の説明図である。
【図１０】図１０は、本実施形態の管理システムで実行される物体情報取得処理の一例を示すフローチャート図である。
【図１１】図１１は、本実施形態の管理システムで実行される関連付け処理の一例を示すフローチャート図である。
【図１２】図１２は、本実施形態の管理システムで実行される表示情報生成処理の一例を示すフローチャート図である。
【図１３】図１３は、変形例の管理システムの構成の一例を示すブロック図である。
【図１４】図１４は、実施形態及び変形例の管理装置のハードウェア構成の一例を示す図である。
【発明を実施するための形態】
【０００８】
以下、添付図面を参照しながら、本発明にかかる管理システム、管理装置、プログラム及び管理方法の実施形態を詳細に説明する。
【０００９】
まず、本実施形態の管理システムの構成について説明する。
【００１０】
図１は、本実施形態の管理システム１の構成の一例を示すブロック図である。図１に示すように、管理システム１は、複合機１０−１、トナー１０−２、複合機１０−３、及びプロジェクタ１０−４と、複合機１０−１、トナー１０−２、複合機１０−３、プロジェクタ１０−４それぞれに付与（アタッチ）されたターミナル１１−１、１１−２、１１−３、１１−４と、ルータ２０と、管理装置１００とを、備える。
【００１１】
ターミナル１１−１〜１１−４とルータ２０とは、無線接続可能となっている。無線接続は、無線ＬＡＮ（Local  Area  Network）などの無線ネットワークにより実現してもよいし、ブルートゥース（登録商標）などの近距離無線通信により実現してもよい。
【００１２】
ルータ２０と管理装置１００とは、ネットワーク２を介して接続されている。ネットワーク２は、例えば、ＬＡＮ（Local  Area  Network）やインターネットなどにより実現できる。
【００１３】
複合機１０−１、トナー１０−２、複合機１０−３、及びプロジェクタ１０−４は、管理装置１００が管理する資産となる物体である。本実施形態では、資産となる物体として、複合機１０−１、トナー１０−２、複合機１０−３、及びプロジェクタ１０−４を例示しているがこれに限定されるものではない。
【００１４】
資産となる物体は、例えば、ＰＣ（Personal  Computer）やタブレット等の情報処理装置、印刷装置、複写機、複合機、スキャナ装置、及びファクシミリ装置等の画像形成装置、プロジェクタ、カメラ、エアコン、冷蔵庫、蛍光灯、自販機、及びハンドヘルド型端末等の各種電子機器、並びにトナー、カートリッジ、及び印刷用紙等の各種資材などが挙げられる。
【００１５】
なお、以下の説明では、複合機１０−１、トナー１０−２、複合機１０−３、及びプロジェクタ１０−４を各々区別する必要がない場合は、単に物体１０と称し、ターミナル１１−１〜１１−４を各々区別する必要がない場合は、単にターミナル１１と称する。
【００１６】
ターミナル１１（端末装置の一例）は、資産となる物体１０を検知するために当該物体１０に付与されるものであり、例えば、チップなどにより実現できる。本実施形態では、ターミナル１１の付与態様として、物体１０に外部接続されることを想定しているが、これに限定されず、例えば、物体１０の内部に組み込まれていてもよい。
【００１７】
図２は、本実施形態のターミナル１１の構成の一例を示すブロック図である。図２に示すように、ターミナル１１は、無線通信部１２と、ＧＰＳ（Global  Positioning  System）受信部１３と、記憶部１４と、制御部１５とを、備える。
【００１８】
無線通信部１２は、無線通信でルータ２０などの外部機器と通信するものであり、本実施形態では、ブルートゥースなどの近距離無線通信により実現することを想定しているが、これに限定されるものではない。
【００１９】
ＧＰＳ受信部１３は、ＧＰＳ衛星からの電波を受信することにより、ターミナル１１の現在位置を測位するものであり、ＧＰＳ受信機などにより実現できる。
【００２０】
記憶部１４は、ターミナル１１で実行される各種プログラムやターミナル１１で行われる各種処理に使用されるデータなどを記憶する。記憶部１４は、例えば、ターミナル１１が付与された物体１０を識別する物体識別情報や物体１０の位置を示す位置情報などを含む物体情報を記憶する。物体識別情報は、例えば、ターミナル１１のシリアルナンバーなどターミナル１１に固有の情報を用いることができる。物体１０の位置情報は、例えば、ＧＰＳ受信部１３により即位されたターミナル１１の位置情報を用いることができる。
【００２１】
記憶部１４は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、又は電気的に記憶可能な記憶装置により実現できる。
【００２２】
制御部１５は、ターミナル１１の各部を制御するものであり、ＣＰＵ（Central  Processing  Unit）などの制御装置により実現できる。制御部１５は、ルータ２０からターミナル１１が付与された物体１０の物体情報が要求されると、記憶部１４から物体情報を読み出し、ルータ２０に返却する。
【００２３】
ルータ２０は、データの中継に加え、本実施形態では、自身の周辺に位置する資産となる物体１０を検知する。
【００２４】
図３は、本実施形態のルータ２０の構成の一例を示すブロック図である。図３に示すように、ルータ２０は、通信部２１と、無線通信部２２と、記憶部２３と、制御部２４とを、備える。
【００２５】
通信部２１は、ネットワーク２を介して、管理装置１００などの外部装置と通信するものであり、ＮＩＣ（Network  Interface  Card）などにより実現できる。
【００２６】
無線通信部２２は、無線通信でターミナル１１などの外部機器と通信するものであり、本実施形態では、ブルートゥースなどの近距離無線通信により実現することを想定しているが、これに限定されるものではない。
【００２７】
記憶部２３は、ルータ２０で実行される各種プログラムやルータ２０で行われる各種処理に使用されるデータなどを記憶する。記憶部２３は、例えば、ＨＤＤ、ＳＳＤ、メモリカード、光ディスク、ＲＯＭ、及びＲＡＭなどの磁気的、光学的、又は電気的に記憶可能な記憶装置により実現できる。
【００２８】
制御部２４は、ルータ２０の各部を制御するものであり、ＣＰＵなどの制御装置により実現できる。制御部２４は、管理装置１００からターミナル１１が付与された物体１０の物体情報が要求されると、無線通信部２２が発する電波に乗せて当該要求を送信する。そして、制御部２４は、送信した要求を受信（検知）したターミナル１１から、当該ターミナル１１が付与された物体１０の物体情報を取得し、管理装置１００に返却する。
【００２９】
管理装置１００は、ターミナル１１が付与された物体１０を管理するものであり、管理プログラムがインストールされたコンピュータなどにより実現できる。
【００３０】
図４は、本実施形態の管理装置１００の構成の一例を示すブロック図である。図４に示すように、管理装置１００は、通信部１１０と、操作部１２０と、表示部１３０と、記憶部１４０と、制御部１５０とを、備える。
【００３１】
通信部１１０は、ネットワーク２を介して、ルータ２０などの外部装置と通信するものであり、ＮＩＣなどにより実現できる。
【００３２】
操作部１２０は、各種操作の入力を行うものであり、キーボード、マウス、タッチパッド、及びタッチパネルなどの入力装置により実現できる。
【００３３】
表示部１３０は、各種画面を表示するものであり、液晶ディスプレイ及びタッチパネル式ディスプレイなどの表示装置により実現できる。
【００３４】
記憶部１４０は、管理装置１００で実行される管理プログラムなどの各種プログラムや管理装置１００で行われる各種処理に使用されるデータなどを記憶する。記憶部１４０は、例えば、ＨＤＤ、ＳＳＤ、メモリカード、光ディスク、ＲＯＭ、及びＲＡＭなどの磁気的、光学的、又は電気的に記憶可能な記憶装置により実現できる。記憶部１４０は、物体情報記憶部１４１を含む。なお、物体情報記憶部１４１の詳細については、後述する。
【００３５】
制御部１５０は、管理装置１００の各部を制御するものであり、ＣＰＵなどの制御装置により実現できる。制御部１５０は、取得部１５１と、関連付け部１５３と、生成部１５５と、出力部１５７と、比較部１５９と、通知部１６１とを、含む。なお、制御部１５０は、記憶部１４０に記憶されている管理プログラムを起動（実行）することにより、取得部１５１、関連付け部１５３、生成部１５５、出力部１５７、比較部１５９、及び通知部１６１をソフトウェアとして実現する。
【００３６】
取得部１５１は、複数の物体１０それぞれに付与されたターミナル１１から、当該ターミナル１１が付与された物体１０を識別する物体識別情報と当該物体１０の位置を示す位置情報とを含む物体情報を取得し、物体情報記憶部１４１に記憶する。
【００３７】
例えば、取得部１５１は、物体情報の取得タイミング（例えば、１日毎）になると、ターミナル１１が付与された物体１０の物体情報の取得要求として、物体情報要求パケットをルータ２０に送信する。物体情報要求パケットとしては、例えば、ＳＮＭＰ（Simple  Network  Management  Protocol）のようなＵＤＰ（User  Datagram  Protocol）を主としたプロトコルが挙げられる。この後、ルータ２０が当該物体情報要求パケットを無線電波に乗せて送信する。そして、当該物体情報要求パケットを受信（検知）したターミナル１１それぞれから、当該ターミナル１１が付与された物体１０の物体情報がルータ２０に返却されるので、取得部１５１は、当該物体情報をルータ２０から取得する。
【００３８】
そして取得部１５１は、１回目の物体情報の取得の場合には、物体情報要求パケットを受信したターミナル１１それぞれから取得した複数の物体情報を物体情報記憶部１４１に記憶する。
【００３９】
また取得部１５１は、２回目以降の物体情報の取得の場合には、物体情報要求パケットを受信したターミナル１１それぞれから取得した複数の物体情報それぞれについて、物体情報記憶部１４１に記憶されている複数の物体情報のうち、取得した物体情報の物体識別情報と一致する物体識別情報を含む物体情報の位置情報を、取得した物体情報の位置情報で更新する。これにより、物体情報記憶部１４１に記憶されている物体情報（位置情報）は、物体１０の最新の位置を示す。
【００４０】
関連付け部１５３は、複数の物体１０のうち２以上の物体１０を関連付ける。具体的には、関連付け部１５３は、物体情報記憶部１４１に記憶されている物体情報のうち、関連付け対象の２以上の物体１０それぞれの物体情報に、関連付けられた物体１０の物体識別情報を関連物体識別情報として含める。
【００４１】
例えば、関連付け部１５３は、関連付け操作の入力に基づいて、物体情報記憶部１４１に記憶されている関連付け対象の２以上の物体１０それぞれの物体情報に、関連付けられた物体１０の物体識別情報を関連物体識別情報として含める。また例えば、関連付け部１５３は、関連付け解除操作の入力に基づいて、物体情報記憶部１４１に記憶されている関連付けられた２以上の物体１０それぞれの物体情報から、関連物体識別情報を削除する。
【００４２】
図５〜図６は、本実施形態の関連付け操作の一例の説明図である。図５〜図６に示す例では、関連付け画面のＴｅｒｍｉｎａｌＬｉｓｔが物体識別情報を示し、ＰａｉｒｉｎｇＴｅｒｍｉｎａｌが関連物体識別情報を示す。
【００４３】
管理システム１の管理者は、物体識別情報がＴｅｒｍｉｎａｌ１の複合機１０−１を、物体識別情報がＴｅｒｍｉｎａｌ２のトナー１０−２に関連付ける場合、図５に示すように、関連付け画面において、ＴｅｒｍｉｎａｌＬｉｓｔのＴｅｒｍｉｎａｌ１を、矢印２０１のように、ＴｅｒｍｉｎａｌＬｉｓｔのＴｅｒｍｉｎａｌ２に対応付けられたＰａｉｒｉｎｇＴｅｒｍｉｎａｌの欄にドラッグ＆ドロップする。
【００４４】
関連付け部１５３は、このドラッグ＆ドロップ操作を受け、物体情報記憶部１４１に記憶されているトナー１０−２の物体情報に、複合機１０−１の物体識別情報であるＴｅｒｍｉｎａｌ１を関連物体識別情報として含める。同様に関連付け部１５３は、物体情報記憶部１４１に記憶されている複合機１０−１の物体情報に、トナー１０−２の物体識別情報であるＴｅｒｍｉｎａｌ２を関連物体識別情報として含める。
【００４５】
これにより、複合機１０−１とトナー１０−２とが関連付けられ、図６に示すように、関連付け画面において、ＴｅｒｍｉｎａｌＬｉｓｔのＴｅｒｍｉｎａｌ１に対応付けられたＰａｉｒｉｎｇＴｅｒｍｉｎａｌの欄にＴｅｒｍｉｎａｌ２が表示され、ＴｅｒｍｉｎａｌＬｉｓｔのＴｅｒｍｉｎａｌ２に対応付けられたＰａｉｒｉｎｇＴｅｒｍｉｎａｌの欄にＴｅｒｍｉｎａｌ１が表示される。
【００４６】
なお、管理システム１の管理者がネットワーク２に接続された自身の端末装置（図示省略）から関連付け操作や関連付け解除操作を行うのであれば、関連付け部１５３は、通信部１１０を介して関連付け操作や関連付け解除操作の入力を受け付ける。一方、管理システム１の管理者が管理装置１００から関連付け操作や関連付け解除操作を行うのであれば、関連付け部１５３は、操作部１２０から関連付け操作や関連付け解除操作の入力を受け付ける。
【００４７】
また、管理システム１の管理者がネットワーク２に接続された自身の端末装置（図示省略）から関連付け操作や関連付け解除操作を行うのであれば、図５〜図６に示すような関連付け画面等の画面情報は、後述の出力部１５７が端末装置に出力し、端末装置が関連付け画面等を表示する。一方、管理システム１の管理者が管理装置１００から関連付け操作や関連付け解除操作を行うのであれば、図５〜図６に示すような関連付け画面等の画面情報は、後述の出力部１５７が表示部１３０に出力し、表示部１３０が関連付け画面等を表示する。
【００４８】
生成部１５５は、複数の物体情報及び関連付け部１５３による２以上の物体１０の関連付け結果に基づいて、複数の物体１０それぞれの位置及び２以上の物体１０の関連性を識別可能な表示情報を生成する。具体的には、生成部１５５は、物体情報記憶部１４１に記憶されている複数の物体情報に基づいて、表示情報を生成する。詳細には、生成部１５５は、物体情報記憶部１４１に記憶されている物体情報が更新される毎に、物体情報記憶部１４１に記憶されている複数の物体情報に基づいて、表示情報を生成する。
【００４９】
例えば、生成部１５５は、記憶部１４０から、複数の物体１０が配置されている領域を表す領域情報を取得し、取得した領域情報上に、複数の物体１０それぞれの位置及び２以上の物体１０の関連性を識別可能に重畳して、表示情報を生成する。なお、複数の物体１０それぞれの位置は、物体情報記憶部１４１に記憶されている複数の物体情報の位置情報に基づき、２以上の物体１０の関連性は、物体情報記憶部１４１に記憶されている２以上の物体１０の物体情報の物体識別情報及び関連物体識別情報に基づく。
【００５０】
図７〜図８は、本実施形態の表示情報の一例の説明図である。図７〜図８に示す例では、複合機１０−１、トナー１０−２、複合機１０−３、及びプロジェクタ１０−４が配置されている空間の配置図データ上に、複合機１０−１、トナー１０−２、複合機１０−３、及びプロジェクタ１０−４の位置が重畳されているとともに、複合機１０−１とトナー１０−２との関連性を示す矢印２１１が重畳されている。
【００５１】
なお、図８に示す例では、図７に示す例から複合機１０−１の位置が移動しているが、複合機１０−１の移動後においても、複合機１０−１とトナー１０−２との関連性を示す矢印２１１が表示されており、関連付けられた物体１０が移動してもその関連性を把握可能になっている。
【００５２】
出力部１５７は、生成部１５５により生成された表示情報を出力する。なお、管理システム１の管理者がネットワーク２に接続された自身の端末装置を用いるのであれば、出力部１５７は、表示情報を端末装置に出力し、端末装置が表示情報に基づく画面を表示する。一方、管理システム１の管理者が管理装置１００を用いるのであれば、出力部１５７は、表示情報を表示部１３０に出力し、表示部１３０が表示情報に基づく画面を表示する。
【００５３】
比較部１５９は、取得部１５１により取得された複数の物体情報それぞれについて、物体情報記憶部１４１に記憶されている複数の物体情報のうち、取得された物体情報の物体識別情報と一致する物体識別情報を含む物体情報の位置情報と、取得された物体情報の位置情報とを比較する。
【００５４】
通知部１６１は、比較部１５９の比較結果が一致しない場合、即ち、該当する物体１０が移動している場合、該当する物体１０が移動したことを通知する。
【００５５】
ここで、物体情報記憶部１４１に記憶されている物体情報は、移動通知の有無を示す通知情報を更に含み、通知部１６１は、移動通知設定操作の入力に基づいて、物体情報記憶部１４１に記憶されている物体情報の通知情報が示す移動通知の有無を更新する。
【００５６】
図９は、本実施形態の移動通知設定操作の一例の説明図である。管理システム１の管理者は、物体識別情報がＴｅｒｍｉｎａｌ１の複合機１０−１及び物体識別情報がＴｅｒｍｉｎａｌ２のトナー１０−２の移動通知を行う場合、図９に示すように、関連付け画面において、ＴｅｒｍｉｎａｌＬｉｓｔのＴｅｒｍｉｎａｌ１、Ｔｅｒｍｉｎａｌ２に対応付けられたＤｅｔｅｃｔＭｏｖｅのチェックボックスにチェックを行う。
【００５７】
通知部１６１は、このチェック操作を受け、物体情報記憶部１４１に記憶されている複合機１０−１の物体情報の通知情報が移動通知有を示すように更新するとともに、物体情報記憶部１４１に記憶されているトナー１０−２の物体情報の通知情報が移動通知有を示すように更新する。
【００５８】
これにより、通知部１６１は、比較部１５９の比較結果が一致せず、かつ物体情報記憶部１４１に記憶されている複数の物体情報のうち、取得された物体情報の物体識別情報と一致する物体識別情報を含む物体情報の位置情報の通知情報が移動通知有を示す場合、該当する物体が移動したことを通知する。通知先としては、例えば、管理システム１の管理者のメールアドレスなどが挙げられる。
【００５９】
なお、管理システム１の管理者がネットワーク２に接続された自身の端末装置（図示省略）から移動通知設定操作を行うのであれば、通知部１６１は、通信部１１０を介して移動通知設定操作の入力を受け付ける。一方、管理システム１の管理者が管理装置１００から移動通知設定操作を行うのであれば、通知部１６１は、操作部１２０から移動通知設定操作の入力を受け付ける。
【００６０】
また、管理システム１の管理者がネットワーク２に接続された自身の端末装置（図示省略）から移動通知設定操作を行うのであれば、図９に示すような移動通知設定画面等の画面情報は、出力部１５７が端末装置に出力し、端末装置が移動通知設定画面等を表示する。一方、管理システム１の管理者が管理装置１００から移動通知設定操作を行うのであれば、図５〜図６に示すような移動通知設定画面等の画面情報は、後述の出力部１５７が表示部１３０に出力し、表示部１３０が移動通知設定画面等を表示する。
【００６１】
次に、本実施形態の管理システムの動作について説明する。
【００６２】
図１０は、本実施形態の管理システム１で実行される物体情報取得処理の一例を示すフローチャート図である。
【００６３】
まず、管理装置１００の取得部１５１は、物体情報の取得タイミングか否かを判定し（ステップＳ１０１）、物体情報の取得タイミングになると（ステップＳ１０１でＹｅｓ）、ターミナル１１が付与された物体１０の物体情報の取得依頼として、物体情報要求パケットをルータ２０に送信する（ステップＳ１０３）。
【００６４】
続いて、ルータ２０は、当該物体情報要求パケットを無線電波に乗せて送信し、当該物体情報要求パケットを物体１０に付与されたターミナル１１が検知する（ステップＳ１０５）。
【００６５】
続いて、物体情報要求パケットを検知したターミナル１１の各々は、当該ターミナル１１が付与された物体１０の物体情報をルータ２０に返却する（ステップＳ１０７）。
【００６６】
続いて、取得部１５１は、ルータ２０から複数の物体情報を取得する（ステップＳ１０９）。
【００６７】
続いて、比較部１５９は、取得部１５１により取得された複数の物体情報それぞれについて、物体情報記憶部１４１に記憶されている複数の物体情報のうち、取得された物体情報の物体識別情報と一致する物体識別情報を含む物体情報の位置情報と、取得された物体情報の位置情報とを比較し、位置情報が一致するか否かを確認する（ステップＳ１１１）。なお、位置情報の確認後、取得部１５１は、取得した複数の物体情報それぞれについて、物体情報記憶部１４１に記憶されている複数の物体情報のうち、取得した物体情報の物体識別情報と一致する物体識別情報を含む物体情報の位置情報を、取得した物体情報の位置情報で更新する。
【００６８】
そして、位置情報が一致しない場合（ステップＳ１１１でＮｏ）、通知部１６１は、物体情報記憶部１４１に記憶されている複数の物体情報のうち、取得された物体情報の物体識別情報と一致する物体識別情報を含む物体情報の位置情報の通知情報が移動通知有を示せば、該当する物体が移動したことを通知し（ステップＳ１１３）、ステップＳ１０１へ戻る。
【００６９】
一方、位置情報が一致する場合（ステップＳ１１１でＹｅｓ）、ステップＳ１０１へ戻る。
【００７０】
図１１は、本実施形態の管理システム１で実行される関連付け処理の一例を示すフローチャート図である。
【００７１】
まず、出力部１５７は、関連付け画面等において物体情報（物体識別情報）を表示する（ステップＳ２０１）。
【００７２】
続いて、関連付け部１５３は、関連付け画面等において物体情報（物体識別情報）を関連付ける関連付け操作の入力を受け付けると（ステップＳ２０３でＹｅｓ）、物体情報記憶部１４１に記憶されている関連付け対象の２以上の物体１０それぞれの物体情報に、関連付けられた物体１０の物体識別情報を関連物体識別情報として含め、関連付け対象の２以上の物体１０を関連付ける（ステップＳ２０５）。
【００７３】
一方、関連付け操作の入力がない場合（ステップＳ２０３でＮｏ）、関連付け対象の２以上の物体１０の関連付けは行われない。
【００７４】
図１２は、本実施形態の管理システム１で実行される表示情報生成処理の一例を示すフローチャート図である。
【００７５】
生成部１５５は、取得部１５１により物体情報が取得されるなど物体情報記憶部１４１に記憶されている物体情報が更新されると（ステップＳ３０１でＹｅｓ）、物体情報記憶部１４１に記憶されている複数の物体情報に基づいて、配置図データ上に、複数の物体１０それぞれの位置及び関連付けられた２以上の物体１０の関連性を識別可能に重畳して、表示情報を生成する（ステップＳ３０３）。
【００７６】
続いて、出力部１５７は、生成部１５５により生成された表示情報を出力し（ステップＳ３０１）へ戻る。
【００７７】
以上のように本実施形態によれば、物体の個々の位置だけでなく物体間の関連性を視覚的に把握できる表示情報を生成するので、物体の位置及び関連性をユーザに把握させることができる。これにより、本実施形態によれば、関連付けられた物体が移動してもその関連性をユーザに把握させることができる。
【００７８】
この結果本実施形態によれば、機器（例えば、画像形成装置）と当該機器で使用される消耗品（例えば、トナーや印刷用紙など）との関連性をユーザに把握させることができ、消耗品の消失などの防止に寄与できる。
【００７９】
（変形例）
なお、本発明は、上記実施形態に限定されるものではなく、種々の変形が可能である。
【００８０】
例えば、上記各実施形態では、ターミナル１１が付与された物体１０を管理する例について説明したが、図１３に示す管理システム１００１のように、管理装置１０００の管理対象をターミナル１１そのものとしてもよい。この場合、物体１０の物体情報をターミナル１１の端末情報とし、物体１０を識別する物体識別情報を、ターミナル１１を識別する端末識別情報とすればよい。
【００８１】
また上記実施形態では、管理装置が物体情報を記憶する例について説明したが、物体情報を外部（例えば、クラウド上）に記憶するようにしてもよい。
【００８２】
（ハードウェア構成）
図１４は、上記実施形態及び変形例の管理装置のハードウェア構成の一例を示す図である。
【００８３】
上記実施形態及び変形例の管理装置は、ＣＰＵなどの制御装置８０１と、ＲＯＭやＲＡＭなどの記憶装置８０２と、ＨＤＤなどの外部記憶装置８０３と、ディスプレイなどの表示装置８０４と、キーボードやマウスなどの入力装置８０５と、通信Ｉ／Ｆ（インタフェース）などの通信装置８０６と、を備えており、通常のコンピュータを利用したハードウェア構成となっている。
【００８４】
上記実施形態及び変形例の管理装置で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００８５】
また、上記実施形態及び変形例の管理装置で実行されるプログラムを、インターネット等のネットワークに接続されたコンピュータ上に格納し、ネットワーク経由でダウンロードさせることにより提供するようにしてもよい。また、上記実施形態及び変形例の管理装置で実行されるプログラムを、インターネット等のネットワーク経由で提供または配布するようにしてもよい。また、上記実施形態及び変形例の管理装置で実行されるプログラムを、ＲＯＭ等に予め組み込んで提供するようにしてもよい。
【００８６】
上記実施形態及び変形例の管理装置で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【００８７】
１  管理システム
２  ネットワーク
１０−１、１０−３  複合機
１０−２  トナー
１０−４  プロジェクタ
１０  物体
１１−１、１１−２、１１−３、１１−４（１１）  ターミナル
１２  無線通信部
１３  ＧＰＳ受信部
１４  記憶部
１５  制御部
２０  ルータ
２１  通信部
２２  無線通信部
２３  記憶部
２４  制御部
１００  管理装置
１１０  通信部
１２０  操作部
１３０  表示部
１４０  記憶部
１４１  物体情報記憶部
１５０  制御部
１５１  取得部
１５３  関連付け部
１５５  生成部
１５７  出力部
１５９  比較部
１６１  通知部
８０１  制御装置
８０２  記憶装置
８０３  外部記憶装置
８０４  表示装置
８０５  入力装置
８０６  通信装置
【先行技術文献】
【特許文献】
【００８８】
【特許文献１】特開２０１１−６６６２５号公報
【図１】
2014178901.tif 000003
【図２】
2014178901.tif 000004
【図３】
2014178901.tif 000005
【図４】
2014178901.tif 000006
【図５】
2014178901.tif 000007
【図６】
2014178901.tif 000008
【図７】
2014178901.tif 000009
【図８】
2014178901.tif 000010
【図９】
2014178901.tif 000011
【図１０】
2014178901.tif 000012
【図１１】
2014178901.tif 000013
【図１２】
2014178901.tif 000014
【図１３】
2014178901.tif 000015
【図１４】
2014178901.tif 000016